(57)【特許請求の範囲】
【請求項１】
視覚年齢を測定する視覚年齢測定モジュール、
測定された前記視覚年齢と対応する映像特性のうち少なくとも一つを、入力された文字を変換するためのパラメータとして決定するパラメータ決定モジュール、および
入力された文字の色を表すＲＧＢ値のうちのＢ値であるブルー値を、決定された前記パラメータ又は測定された前記視覚年齢と関連付けられたブルー値に変換する文字変換モジュールを含む、
文字処理装置。
【請求項２】
前記視覚年齢は、ユーザから入力されたユーザ入力情報に基づいて測定される請求項１に記載の文字処理装置。
【請求項３】
前記文字変換モジュールは、さらに、前記入力された文字の大きさを、決定された前記パラメータと関連付けられた文字の大きさに変換する、請求項１に記載の文字処理装置。
【請求項４】
前記文字変換モジュールは、さらに、前記入力された文字の表示時間を、決定された前記パラメータと関連付けられた文字の表示時間に変換する、請求項１に記載の文字処理装置。
【請求項５】
変換された前記文字を保存する保存モジュールをさらに含む請求項１に記載の文字処理装置。
【請求項６】
変換された前記文字を表示する表示モジュールをさらに含む請求項１に記載の文字処理装置
【請求項７】
ユーザの要請によって前記変換された文字を他の携帯用端末機に伝送する制御モジュールをさらに含む請求項１に記載の文字処理装置。
【請求項８】
視覚年齢を測定する測定段階、
測定された前記視覚年齢と対応する映像特性のうち少なくとも一つを、入力された文字を変換するためのパラメータとして決定する決定段階、および
入力された文字の色を表すＲＧＢ値のうちのＢ値であるブルー値を、決定された前記パラメータ又は測定された前記視覚年齢と関連付けられたブルー値に変換する変換段階を含む、
文字処理方法。
【請求項９】
前記視覚年齢は、ユーザから入力されたユーザ入力情報に基づいて測定される請求項８に記載の文字処理方法。
【請求項１０】
前記変換段階において、さらに、前記入力された文字の大きさを、決定された前記パラメータと関連付けられた文字の大きさに変換する、請求項８に記載の文字処理方法。
【請求項１１】
前記変換段階において、さらに、前記入力された文字の表示時間を、決定された前記パラメータと関連付けられた文字の表示時間に変換する、請求項８に記載の文字処理方法。
【請求項１２】
変換された前記文字を保存する段階をさらに含む請求項８に記載の文字処理方法。
【請求項１３】
変換された前記文字を表示する段階をさらに含む請求項８に記載の文字処理方法。
【請求項１４】
ユーザの要請によって変換された前記文字を他の携帯用端末機に伝送する段階をさらに含む請求項８に記載の文字処理方法。
【発明の詳細な説明】
【技術分野】
【０００１】
本発明は文字処理装置および方法に関するものであって、より詳細に測定された視覚年齢に応じて文字特性を変化させることによって、視覚年齢に応じて文字の認識の可否を異にするようにする文字処理に関するものである。
【背景技術】
【０００２】
最近通信およびデジタル信号処理に関する技術の発達によってＰＣモニター、デジタルＴＶ、モバイルフォン、ＰＤＡなどと同じ多様な形態のディスプレイ装置が開発された。
【０００３】
ところで、このようなディスプレイ装置は単純に映像や文字を表示する基本的な機能の他にもユーザにエンターテイメント機能を提供したり、ユーザとのインタラクションによって、原映像をユーザの特性に適合した映像に変換して表示する機能を提供したりもする。
【０００４】
このような機能の代表的な例として、ディスプレイ装置を使用するユーザの視力を測定し、これに基づいて原映像を補償したり、年齢が高くなることによって視力が低下するという点を利用して、ユーザの年齢に適合するように予め設定された方法によって原映像を補償する機能がある。
【０００５】
しかし、視力が良いといっても表示される映像の色相（ｈｕｅ）、彩度（ｃｈｒｏｍａ）またはコントラスト等のような映像特性はユーザごとに異なるように感じることがあり、年齢が増加するのにともない視力の低下の程度がユーザにより異なることがある。
【０００６】
図１は年齢の変化による彩度の知覚変化を表すグラフであって、横軸は波長を表し、縦軸は知覚能力を０から１００間の値で表現したものである。
図１を参照すれば、年齢により色彩を知覚する能力が異なり、特に波長の長さが４５０ｎｍの領域はブルー系統の色相領域であるが、この領域では２０代の知覚能力１１０と７０代の知覚能力１２０が顕著に差異が生じることを知ることができる。
したがって、このような特性を利用して多様なディスプレイ装置でのエンターテイメント機能を拡張できるようになった。
【特許文献１】韓国公開特許第２０００−０７４９２５号公報
【発明の開示】
【発明が解決しようとする課題】
【０００７】
本発明は前記した問題点を改善するために考案されたもので、視覚年齢を測定し、測定された視覚年齢に応じて文字特性を変化させることによって視覚年齢に応じた文字の認識の可否を異にするようにすることを目的とする。
本発明の目的は以上で言及した目的に制限されず、言及されていないまた他の目的は次の記載から当業者に明確に理解できるであろう。
【課題を解決するための手段】
【０００８】
前記目的を達成するために、本発明の実施形態による文字処理装置は、視覚年齢を測定する視覚年齢測定モジュール、測定された前記視覚年齢と対応する映像特性のうち少なくとも一つを、入力された文字を変換するためのパラメータとして決定するパラメータ決定モジュール、および入力された文字の色を表すＲＧＢ値のうちのＢ値であるブルー値を、決定された前記パラメータ又は測定された前記視覚年齢と関連付けられたブルー値に変換する文字変換モジュールを含む。
【０００９】
また、前記目的を達成するために、本発明の実施形態による文字処理方法は、視覚年齢を測定する測定段階、測定された前記視覚年齢と対応する映像特性のうち少なくとも一つを、入力された文字を変換するためのパラメータとして決定する決定段階、および入力された文字の色を表すＲＧＢ値のうちのＢ値であるブルー値を、決定された前記パラメータ又は測定された前記視覚年齢と関連付けられたブルー値に変換する変換段階を含む。
【発明の効果】
【００１０】
前記したような本発明の文字処理装置および方法によれば本発明によれば、視覚年齢により文字認識の可否を異にするようにするエンターテイメント機能を提供する効果がある。
本発明の効果は以上で言及した効果に制限されなくて、言及されないまた他の効果は請求範囲の記載から当業者に明確に理解できるであろう。
【発明を実施するための最良の形態】
【００１１】
本発明の利点および特徴、そしてそれらを達成する方法は添付される図面と共に詳細に後述されている実施形態を参照すれば明確になるだろう。しかし本発明は以下で開示される実施形態に限定されるものではなく、互いに異なる多様な形態で具現することができ、単に本実施形態は本発明の開示が完全なようにして、本発明が属する技術分野で通常の知識を有する者に発明の範疇を完全に知らせるために提供されているもので、本発明は請求項の範囲によってのみ定義される。
【００１２】
以下、本発明の実施形態によって、文字を処理する装置および方法を説明するためのブロック図または処理フローチャートを参考にして、本発明に対して説明する。
【００１３】
この時、処理フローチャート図の各ブロックとフローチャート図の組合せはコンピュータプログラムインストラクションによって、遂行される可能性があることを理解するはずである。これらコンピュータプログラムインストラクションは凡庸コンピュータ、特殊用コンピュータまたはその他プログラム可能なデータプロセシング装備のプロセッサに搭載され得るため、コンピュータまたはその他プログラム可能なデータプロセシング装備のプロセッサを通して遂行されるそのインストラクションがフローチャートブロックで説明された機能を遂行する手段を生成する。これらコンピュータプログラムインストラクションは特定方式で機能を具現するためにコンピュータまたはその他プログラム可能なデータプロセシング装備を指向できるコンピュータ利用可能またはコンピュータ判読可能メモリに保存されることも可能なため、そのコンピュータ利用可能またはコンピュータ判読可能メモリに保存されたインストラクションはフローチャートブロックで説明された機能を遂行するインストラクション手段を内包する製造品目を生産することも可能である。
【００１４】
コンピュータプログラムインストラクションはコンピュータまたはその他プログラム可能なデータプロセシング装備上に搭載されることも可能なため、コンピュータまたはその他プログラム可能なデータプロセシング装備上で一連の動作段階が遂行され、コンピュータで実行されるプロセスを生成し、コンピュータまたはその他プログラム可能なデータプロセシング装備を遂行するインストラクションはフローチャートブロックで説明された機能を実行するための段階を提供することも可能である。
【００１５】
また、各ブロックは特定された論理的機能を実行するための一つ以上の実行可能なインストラクションを含むモジュール、セグメントまたはコードの一部を表し得る。また、いくつかの代替実行形態ではブロックで言及された機能が順序を外れて発生することも可能であることに注目しなければならない。例えば、相次いで図示されている二つのブロックは実質的に同時に遂行されることも可能で、またはそのブロックが時々該当する機能によって逆順で遂行されることも可能である。
【００１６】
一方、本発明で言及される「視覚年齢（ｅｙｅｓｉｇｈｔ  ａｇｅ）」は表示される映像に対するユーザの認知程度を表す指標であって、ユーザの絶対年齢とは区別され、目の屈折異常によって発生する現象の「視力」とは区別される概念である。
【００１７】
図２は本発明の一実施形態による文字処理の基本概念を示す図である。
図２を参照すれば、背景２１０をＲＧＢデジタル値（１６０、１６０、１６０）と固定し、文字Ｃ  ２２０はＲＧＢデジタル値（１６０、１６０、Ｂ）とし、測定された視覚年齢に応じてＢ値が決定されるようになる。一般的に視覚年齢が増加するほどＢ値がさらに大きくなる。したがって、例えば視覚年齢が５０才の場合のＢ値が２００であるとすれば、視覚年齢が６０才の場合のＢ値は２００より大きくなるようになる。したがって、Ｂ値が１８０である場合、視覚年齢が６０才以上の人には文字Ｃ  ２２０に対する認識力が低下するようになるものである。
また、このような文字認識力は、文字の大きさおよび文字が表示される時間によって異なるようになる。
【００１８】
図３は本発明の一実施形態による文字処理装置の構造を示すブロック図である。
図３を参照すれば、本発明による文字処理装置３００はユーザの視覚年齢を測定する視覚年齢測定モジュール３１０、前記測定された視覚年齢に対応して文字変換のためのパラメータを生成するパラメータ決定モジュール３２０、前記決定されたパラメータを利用して入力された文字を変換する文字変換モジュール３３０、ユーザの制御によって前記変換された文字の伝送経路を決定する制御モジュール３４０、前記変換された文字を表示する表示モジュール３５０そして前記変換された文字を保存する保存モジュール３６０を含む。
【００１９】
以下、図３に図示された各モジュール間の動作を図４に図示されたフローチャートを利用して具体的に説明する。
まず、視覚年齢測定モジュール３１０によって、ユーザの視覚年齢が測定されが（Ｓ４１０）、視覚年齢を測定する方法は図５ないし図８を利用して具体的に説明する。
【００２０】
図５は本発明の一実施形態による視覚年齢測定の基本的な概念を説明するための図であって、ユーザはバーコントローラ（ｂａｒ  ｃｏｎｔｒｏｌｌｅｒ）５２０を左右に動かし、ユーザが好む映像がディスプレイ画面５１０に表れる時、バーコントローラ５２０を固定することによって簡単な操作にユーザの視覚年齢を測定するものである。
【００２１】
より具体的に説明すれば、まずユーザがバーコントローラ５２０を左右に動かすことによってディスプレイ画面５１０に出力される映像の輝度、彩度、コントラストそして色相のような映像特性が変化するようになる。
【００２２】
この時、ユーザは自身の好みの映像を発見した場合にはバーコントローラ５２０の動きを止める。この時、ユーザが好む映像というユーザ立場で視認性が最適化された映像として理解し得る。
【００２３】
バーコントローラ５２０の固定によって特定の映像が選択されれば、前記選択された映像に対応する視覚年齢がユーザに提供されるものである。すなわち、ユーザはバーコントローラ５２０の操作によって自身の視覚年齢を簡単に測定できるのである。
【００２４】
視覚年齢を測定する方法において前記のような方法以外にも図２に図示されたようなブルーランドルト環（ｂｌｕｅ  Ｌａｎｄｏｌｔ−Ｃ  Ｒｉｎｇ）で開いた（ｏｐｅｎ）方向を合わせる回数を利用することによって視覚年齢を測定することができる。
【００２５】
例えば、同一な年齢を有する使用者が特定のブルー値（例えば、０から２５５のうちの任意の値）でブルーランドルト環の開いた方向を合わせる確率が５０％である場合、の時のブルー値に対応する年齢を視覚年齢として定め得るのである。これのために各年齢帯の人々に対する実験が先行する必要がある。
【００２６】
図６は本発明の一実施形態による視覚年齢測定方法を示すフローチャートである。
まず、ユーザは表示モジュール３５０によって表示される映像を変化させるためにユーザ入力手段（未図示）を操作し得る。例えば、図５に図示されたようにユーザはバーコントローラの調節によってユーザ入力情報を提供し得る（Ｓ６１０）。この時、前記使用者入力情報はバーコントローラを構成するポインタの位置で理解され得る。
【００２７】
視覚年齢測定モジュール３１０は前記使用者入力情報に対応して視覚年齢を変更させる（Ｓ６２０）。次に、以前の視覚年齢に対応する映像パラメータを変更された視覚年齢に対応する映像パラメータに変更する（Ｓ６３０）。そして、変更された映像パラメータを現在映像表示モジュール３５０によって、表示されている映像に適用することによって映像を変化させる（Ｓ６４０）。
このような映像パラメータは各年齢代の人々を対象にした実験から得て、あらかじめ設定され得る。
映像のパラメータの例として映像の彩度、コントラスト、輝度または色相特性を表すパラメータなどがある。
【００２８】
彩度特性を表すパラメータの例が図７に図示されているが、図７を参照すれば、横軸は任意の画素に対する彩度値を０から１００の間でスケーリングし、各々の画素に対する相対的な彩度強化値を縦軸に表しており、図７に図示されたグラフが任意の視覚年齢に対応する映像パラメータとして利用され得る。
【００２９】
したがって、視覚年齢測定モジュール３１０は変更された視覚年齢に対応するグラフを利用して現在表示モジュール３５０によって、表示されている映像を変化させるようになる。
輝度特性およびコントラスト特性を同時に向上させるためのパラメータの例が図８に図示されている。
【００３０】
例えば、第１区間８０２の長さと第２区間８０４でのＰ２に対する｜Ｑ３−Ｑ２｜の大きさは入力される映像の画素値の分布特性によって調整される。例えば、表示される映像の画素値が低輝度領域に多く分布する場合には第１区間８０２の長さを短くし、｜Ｑ３−Ｑ２｜の大きさも小さくすることができる。
【００３１】
図８を参照すれば、「８１０」と表示されるグラフは原映像が変化しない場合の関係を表しており、「８２０」と表示されるグラフは原映像が変化する場合の関係を表している。例えば、入力される映像の画素が８ビットと表示される場合に入力映像の画素情報は２８＝２５６個の画素情報（０から２５５）を有するようになる。
【００３２】
そして、入力映像の画素情報区間は２個の区間に分けることができるが、このうち第１区間８０２は原映像の画素値が「８１０」と表示されるグラフによって出力映像の画素値に変換されるため実質的に入力映像に対する変化が成されなくなる。そして、第２区間８０４では入力映像の画素値が所定の幅ほど増加され変化する。
【００３３】
より具体的に説明すれば、入力映像の画素値がＰ１である場合に、Ｐ１は第１区間８０２に属していためで出力映像の画素値は変化せずＱ１になる。しかし、原映像の画素値がＰ２である場合に、Ｐ２は第２区間８０４に属しているため出力映像の画素値は「８１０」と表示されるグラフによってＱ２でなくＱ３になる。すなわち、｜Ｑ２−Ｑ３｜ほど入力映像の画素値が増加するようになるものである。
【００３４】
一方、図８では入力映像の画素情報が変化することを示しているが、入力映像の輝度成分を利用して変化するものと理解し得る。すなわち、入力映像の画素に対する輝度情報が臨界画素情報、すなわち２個の区間に分けられる入力画素値以下の場合には映像変換を遂行せず、それ以上である場合にだけ補償振幅ほどの輝度成分を増加させるものと理解され得るものである。
【００３５】
したがって、視覚年齢測定モジュール３１０は各々の視覚年齢に対応して図８のようなグラフ情報を輝度およびコントラスト特性を表す映像パラメータであって、現在表示モジュール３５０によって表示されている映像を変化させるようになる。
【００３６】
色相特性を表すパラメータも先の映像パラメータのように各々の視覚年齢に対応するグラフを映像パラメータとして予め保存される。
Ｓ６４０段階によって映像が変化した後、視覚年齢測定モジュール３１０はユーザ入力手段によって入力されるユーザ入力情報が所定時間一定に維持されているのかすなわち、バーコントローラが固定されているかを検査し（Ｓ６５０）、万一バーコントローラが固定されたと判断した場合には変化した映像に対応する視覚年齢を表示モジュール３５０を通して出力する（Ｓ６６０）。この時、バーコントローラの固定はユーザが最も好む映像を選択したことを意味するものと理解し得る。すなわち、ユーザが最も好む映像によってユーザの視覚年齢が決定されるものである。
【００３７】
また、視覚年齢測定モジュール３１０はユーザの好みの映像選択によって決定された視覚年齢を聴覚的な方法でも出力することができる。例えば、文字処理装置３００に具備されるスピーカを通して前記視覚年齢を音声で出力することができる。
【００３８】
一方、Ｓ６５０段階で万一バーコントローラが固定されず所定時間内に動くものと判断された場合にはユーザがバーコントローラを継続して調節しているということを意味する。
したがって、この場合にはバーコントローラの調節に応じて視覚年齢を改めて変更し（Ｓ６２０）、Ｓ６３０段階ないしＳ６５０段階を反復するようになる。
すなわち、ユーザによって好みの映像が選択されるまで継続して映像が変わるようになるものである。
【００３９】
一方、本発明ではユーザ入力手段の例としてバーコントローラを言及しているが、これに限定されるものではなく、表示モジュール３５０を通して表示される映像を変更することができる入力手段（例えば、携帯電話の４方向キー、数字入力キーなど）ならば本発明でのユーザ入力手段に該当する。
【００４０】
今までの説明はユーザの視覚年齢を測定する一つの実施形態であって、視覚年齢測定のために視覚年齢測定に関する公知された技術が使用され得る。
【００４１】
前記のような方法によってユーザの視覚年齢が測定されると、パラメータ決定モジュール３２０は測定された視覚年齢に対応するパラメータを決定する（Ｓ４２０）。この時、文字処理装置３００は視覚年齢に対応するパラメータ値を予めテーブルの形態で保存しておき、視覚年齢測定モジュール３１０によって視覚年齢が測定されると、パラメータ決定モジュール３２０が、測定された視覚年齢に該当するパラメータ値を得る方法によってパラメータが決定される。他の実施形態として、視覚年齢測定モジュール３１０によって測定された視覚年齢自体を前記パラメータとして利用することもできる。この場合、図３に図示されたパラメータ決定モジュール３２０は省略され得る。
【００４２】
パラメータ決定モジュール３２０によって入力された文字を変換するためのパラメータが決定されると、文字変換モジュール３３０は入力された文字の特性を変換する。この時、前記特性の例として文字のブルー値、文字の大きさ、文字が表示される時間などがあり、このような特性はユーザの文字認識の可否を決定する特性として理解し得る。
【００４３】
前記のような文字特性を利用して入力された文字を変換する過程がＳ４３０段階ないしＳ４５０段階に記述されている。
すなわち、決定されたパラメータを利用して入力された文字のブルー値（ｂｌｕｅ  ｖａｌｕｅ）を変換するが（Ｓ４３０）、パラメータＰとブルー値（０〜２５５）との関係を表すグラフが図９に図示されている。
【００４４】
また、決定されたパラメータを利用して入力された文字フォントの大きさ（ｆｏｎｔ  ｓｉｚｅ）を変換するが（Ｓ４４０）、パラメータＰとフォントの大きさ（ｍｍ）との関係を表すグラフが図１０に図示されている。
また、決定されたパラメータを利用して入力された文字の表示時間を変換するが（Ｓ４５０）、パラメータＰと表示時間（ｓｅｃｏｎｄ）との関係を表すグラフが図１１に図示されている。
【００４５】
Ｓ４３０段階ないしＳ４５０段階に形成される動作は必ずしも図４に図示された順序の通りに遂行されるものではなく、その順序を変えることもできる。また、も９ないし図１１に図示されたグラフは本発明を説明するための例であって、他の形態のグラフを利用し得ることは当業者に自明である。
【００４６】
一方、文字変換モジュール３３０に入力される文字は現在ユーザによって入力されている文字であったり、すでに文字処理装置３００に保存されている文字であり得る。
文字変換モジュール３３０によって変換された文字は制御モジュール３４０によってユーザに出力されたり保存される（Ｓ４６０）。
【００４７】
すなわち、ユーザの選択によって制御モジュール３４０は変換された文字を表示モジュール３５０を通して視覚的にユーザに表示したり、保存モジュール３６０に保存し得る。
【００４８】
また、ユーザの要請によって変換された文字を文字メッセージの形態で他の携帯用端末機で伝送することもできるが、この場合、相手方の視覚年齢を測定することができ、これを図１２に図示している。
【００４９】
図１２を参照すれば、左側に図示された携帯用端末機Ａ  １２１０は視覚年齢を測定することができる機能および本発明による文字処理機能を有しており、右側に図示された携帯用端末機Ｂ  １２２０は視覚年齢を測定することができる機能がないと仮定する。
【００５０】
この時、ユーザが携帯用端末機Ａ  １２１０を利用して相手方の携帯用端末機Ｂ  １２２０に本発明によって処理された文字を送る場合、相手方が伝送された文字を認識することができない場合にユーザは視覚年齢を増加させ、文字を再伝送することができる。このような過程を反復すれば、相手方の視覚年齢を測定することができるようになるものである。
【００５１】
この時、好ましくは固定された灰色背景に文字色は青色であることが好ましく、文字色変換はＲＧＢデジタル値（１６０、１６０、Ｂ）においてＢ値の調節によって遂行するのが好ましい。
【００５２】
また、本明細書で言及される「モジュール」という用語はソフトウェアまたはＦＰＧＡまたはＡＳＩＣのようなハードウェア構成要素を意味し、モジュールはある役割を遂行する。しかし、モジュールはソフトウェアまたはハードウェアに限定される意味ではない。モジュールはアドレッシングできる保存媒体に存在するように構成され得るが、またはそれ以上のプロセッサを再生させるように構成され得る。したがって、一例としてモジュールはソフトウェア構成要素、オブジェクト指向ソフトウェア構成要素、クラス構成要素およびタスク構成要素のような構成要素と、プロセス、関数、属性、プロシーザ、サブルーチン、プログラムコードのセグメント、ドライバ、ファームウェア、マイクロコード、回路、データ、データベース、データ構造、テーブル、アレイ、および変数を含む。構成要素とモジュールのうちで提供されている機能はさらに小さい数の構成要素およびモジュールに結合したり追加的な構成要素とモジュールにさらに分離することができる。
【００５３】
以上添付された図面を参照して本発明の実施形態を説明したが、本発明が属する技術分野で通常の知識を有する者は本発明がその技術的思想や必須の特徴を変更せず、他の具体的な形態で実施され得るということを理解するはずである。そのため以上で記述した実施形態はすべての面で例示的なものであり、限定的ではないものと理解しなければならない。
【図面の簡単な説明】
【００５４】
【図１】年齢変化にともなう彩度の知覚変化を表すグラフである。
【図２】本発明の一実施例により文字処理の基本概念を示す図である。
【図３】本発明の一実施形態による文字処理装置の構造を示すブロック図である。
【図４】本発明の一実施形態による文字処理方法を示すフローチャートである。
【図５】本発明の一実施形態による視覚年齢測定の基本的な概念を説明するための図である
【図６】本発明の一実施形態による視覚年齢測定方法を示すフローチャートである。
【図７】本発明による視覚年齢測定において彩度特性を表すパラメータの例を示す図である。
【図８】本発明による視覚年齢測定において輝度特性およびコントラスト特性を同時向上させるためのパラメータの例を示す図である。
【図９】本発明の一実施例によりパラメータ値と入力された文字のブルー値との関係を表すグラフである。
【図１０】本発明の一実施例によりパラメータ値と入力された文字の大きさとの関係を表すグラフである。
【図１１】本発明の一実施例によりパラメータ値と入力された文字の表示時間との関係を表すグラフである。
【図１２】本発明の一実施例により相手方の視覚年齢を測定する方法を説明するための図である
【符号の説明】
【００５５】
３００    文字処理装置
３１０    視覚年齢測定モジュール
３２０    パラメータ決定モジュール
３３０    文字変換モジュール
３４０    制御モジュール
３５０    表示モジュール
３６０    保存モジュール
【図１】
0005474294.tif 000002
【図２】
0005474294.tif 000003
【図３】
0005474294.tif 000004
【図４】
0005474294.tif 000005
【図５】
0005474294.tif 000006
【図６】
0005474294.tif 000007
【図７】
0005474294.tif 000008
【図８】
0005474294.tif 000009
【図９】
0005474294.tif 000010
【図１０】
0005474294.tif 000011
【図１１】
0005474294.tif 000012
【図１２】
0005474294.tif 000013